(57)【特許請求の範囲】
【請求項１】
冷蔵室と、前記冷蔵室の内部に設けられ前記冷蔵室より低温の貯蔵室と、前記貯蔵室の天面に設けられた天面ダクトと、前記貯蔵室の前面に設けられた扉と、前記扉の下方に設けられた前面壁と、前記前面壁に設けられた通気孔とを備え、前記天面ダクトの天面風路は上部断熱部材と下部断熱部材から構成し、前記天面風路に連通する吹出口は前記下部断熱部材に設けた下方吹出口と前記上部断熱部材と前記下部断熱部材との間に設けた前方吹出口からなり、前記前方吹出口の下方に前記通気孔を設けるとともに、前記天面ダクトは前記貯蔵室の庫内側に位置するダクトカバー、前記ダクトカバーの内面に接して設けられた前記下部断熱部材、前記下部断熱部材の上方に配置された前記上部断熱部材とからなり、前記天面の周囲には支持枠を設け前記支持枠により前記ダクトカバーを固定して前記天面風路は前記天板と前記ダクトカバーの間に固定される形態とし、前記上部断熱部材と前記天板との間に空気層を設け、前記空気層は前記上部断熱部材の後方に設けられ上方に突出する凸部と、前記天板の内面とを当接させることで冷蔵庫の背面側ほど厚みが厚くなるように形成したことを特徴とした冷蔵庫。
【請求項２】
冷蔵室と、前記冷蔵室の内部に設けられ前記冷蔵室より低温の貯蔵室と、前記貯蔵室の天面に設けられた天面ダクトと、前記貯蔵室の前面に設けられた扉と、前記扉の高さ方向中央より下方に設けられた通気孔とを備え、前記天面ダクトの天面風路は上部断熱部材と下部断熱部材から構成し、前記天面風路に連通する吹出口は前記下部断熱部材に設けた下方吹出口と前記上部断熱部材と前記下部断熱部材との間に設けた前方吹出口からなり、前記前方吹出口の下方に前記通気孔を設けるとともに、前記天面ダクトは前記貯蔵室の庫内側に位置するダクトカバー、前記ダクトカバーの内面に接して設けられた前記下部断熱部材、前記下部断熱部材の上方に配置された前記上部断熱部材とからなり、前記天面の周囲には支持枠を設け前記支持枠により前記ダクトカバーを固定して前記天面風路は前記天板と前記ダクトカバーの間に固定される形態とし、前記上部断熱部材と前記天板との間に空気層を設け、前記空気層は前記上部断熱部材の後方に設けられ上方に突出する凸部と、前記天板の内面とを当接させることで冷蔵庫の背面側ほど厚みが厚くなるように形成したことを特徴とした冷蔵庫。
【請求項３】
前記前面壁は前記貯蔵室に設けられた容器の取っ手部の背面であることを特徴とした請求項１に記載の冷蔵庫。
【発明の詳細な説明】
【技術分野】
【０００１】
本発明は、特に、冷蔵室の内部に低温の貯蔵室を備えた冷蔵庫に関する。
【背景技術】
【０００２】
従来、冷蔵室内の底部にチルド室を備えた冷蔵庫が知られている（例えば、特許文献１）。この種の冷蔵庫では、冷蔵室の天面に冷蔵室用ダクトが、冷蔵室の背面にチルド室用ダクトがそれぞれ設けられ、また、冷蔵室背面には冷却器およびファンが設けられている。そして、冷却器で冷却された空気（冷気）が、ファンにより冷蔵室用ダクト、チルド室用ダクトを介して冷蔵室、チルド室に送られることで、冷蔵室、チルド室ごとに所定の温度に冷却制御される。
【０００３】
また、チルド室などの区画された貯蔵室の天面に、上方から冷気を送る天面ダクトを備えた冷蔵庫もある（例えば、特許文献２）。
【先行技術文献】
【特許文献】
【０００４】
【特許文献１】特開２００４−２７８９５９号公報
【特許文献２】特開昭６３−８３５６８号公報
【発明の概要】
【発明が解決しようとする課題】
【０００５】
近年、魚介類や肉類を本来のおいしさや鮮度を保ちながら、比較的長い間保存したいという要望から、冷蔵室の内部に、チルド室より低温の温度帯の貯蔵室を設けることが要望されている。
【０００６】
冷蔵室の温度は通常３℃±２℃であり、チルド室の温度は通常０℃±１℃であるのに対し、低温の貯蔵室の温度は、例えば−３℃±１．５℃である。このため、冷蔵室内に低温の貯蔵室を設けると、従来のチルド室を設けた場合より、冷蔵室との温度差が大きくなる。
【０００７】
このため、冷蔵室内の空気と触れる低温の貯蔵室の外側が結露する恐れが生じていた。また、扉と貯蔵室との隙間から冷蔵室内の比較的暖かい空気が、低温の貯蔵室内に侵入し、低温の貯蔵室の扉付近に結露を生じる恐れもあった。
【０００８】
そして、貯蔵室近傍に結露が生じることを、冷蔵庫の使用者が不快に感じるという課題があった。
【０００９】
本発明は、前記従来の課題を解決するもので、冷蔵室の内部に低温の貯蔵室を設けても、貯蔵室の外側や、扉付近に結露が生じることのない冷蔵庫を提供することを目的とする。
【課題を解決するための手段】
【００１０】
上記従来の課題を解決するために、本発明の冷蔵庫は、冷蔵室と、前記冷蔵室の内部に設けられ前記冷蔵室より低温の貯蔵室と、前記貯蔵室の天面に設けられた天面ダクトと、前記貯蔵室の前面に設けられた扉と、前記扉の下方に設けられた前面壁とを備え、前記前面壁に通気孔を設けたものである。
【００１１】
これによって、低温の貯蔵室の扉付近が結露するのを防止できる。
【発明の効果】
【００１２】
本発明の冷蔵庫は、貯蔵室の近傍に結露が生じることを防止できる。
【図面の簡単な説明】
【００１３】
【図１】本発明の実施の形態１における冷蔵庫の正面図
【図２】本発明の実施の形態１における冷蔵庫の側面断面図
【図３】本発明の実施の形態１における貯蔵室の側面断面図
【図４】本発明の実施の形態１における収納ケースの前面壁部分の斜視図
【図５】本発明の実施の形態２における貯蔵室の側面断面図
【図６】本発明の実施の形態３における貯蔵室の側面断面図
【発明を実施するための形態】
【００１４】
第１の発明は、冷蔵室と、前記冷蔵室の内部に設けられ前記冷蔵室より低温の貯蔵室と、前記貯蔵室の天面に設けられた天面ダクトと、前記貯蔵室の前面に設けられた扉と、前記扉の下方に設けられた前面壁と、前記前面壁に設けられた通気孔とを備え、前記天面ダクトの天面風路は上部断熱部材と下部断熱部材から構成し、前記天面風路に連通する吹出口は前記下部断熱部材に設けた下方吹出口と前記上部断熱部材と前記下部断熱部材との間に設けた前方吹出口からなり、前記前方吹出口の下方に前記通気孔を設けるとともに、前記天面ダクトは前記貯蔵室の庫内側に位置するダクトカバー、前記ダクトカバーの内面に接して設けられた前記下部断熱部材、前記下部断熱部材の上方に配置された前記上部断熱部材とからなり、前記天面の周囲には支持枠を設け前記支持枠により前記ダクトカバーを固定して前記天面風路は前記天板と前記ダクトカバーの間に固定される形態とし、前記上部断熱部材と前記天板との間に空気層を設け、前記空気層は前記上部断熱部材の後方に設けられ上方に突出する凸部と、前記天板の内面とを当接させることで冷蔵庫の背面側ほど厚みが厚くなるように形成したために、天面ダクトから前面壁へと流れる空気の流れを生じさせ、その流れにより扉の内面付近に滞留する比較的暖かい空気を拡散させることができるために、扉の内面付近に結露が生じることがない。また、天面ダクトの内部に設けられた断熱材と、前記天面ダクトの上面に設けられた天板との間に空気層を設けたことにより、断熱材に加えて空気層が、貯蔵室内部と天板との間を断熱するために、天面ダクトの内部に設けられた断熱材の厚みを薄くしても、天板の外面が結露することがない。また、貯蔵室は、断熱材の後方に設けられ上方に突出する凸部と、前記天板の内面とを当接させることで前記空気層を形成するために、簡単な構成で空気層を形成することができ、本発明を容易に実現できる。
【００１５】
第２の発明は、冷蔵室と、前記冷蔵室の内部に設けられ前記冷蔵室より低温の貯蔵室と、前記貯蔵室の天面に設けられた天面ダクトと、前記貯蔵室の前面に設けられた扉と、前記扉の高さ方向中央より下方に設けられた通気孔とを備え、前記天面ダクトの天面風路は上部断熱部材と下部断熱部材から構成し、前記天面風路に連通する吹出口は前記下部断熱部材に設けた下方吹出口と前記上部断熱部材と前記下部断熱部材との間に設けた前方吹出口からなり、前記前方吹出口の下方に前記通気孔を設けるとともに、前記天面ダクトは前記貯蔵室の庫内側に位置するダクトカバー、前記ダクトカバーの内面に接して設けられた前記下部断熱部材、前記下部断熱部材の上方に配置された前記上部断熱部材とからなり、前記天面の周囲には支持枠を設け前記支持枠により前記ダクトカバーを固定して前記天面風路は前記天板と前記ダクトカバーの間に固定される形態とし、前記上部断熱部材と前記天板との間に空気層を設け、前記空気層は前記上部断熱部材の後方に設けられ上方に突出する凸部と、前記天板の内面とを当接させることで冷蔵庫の背面側ほど厚みが厚くなるように形成したことにより、天面ダクトから扉の下方へと流れる空気の流れを生じさせ、その流れにより扉の内面付近に滞留する比較的暖かい空気を拡散させることができるために、扉の内面付近に結露が生じることがない。
【００１６】
第３の発明は、第１の発明の前面壁は前記貯蔵室に設けられた容器の取っ手部の背面であるために、使用者の手の触れる容器の取っ手部近傍が結露することを防止できるので、使用者に不快な思いをさせることがない。
【００１９】
以下、本発明の冷蔵庫の実施の形態について、図面を参照しながら説明する。なお、この実施の形態によって本発明が限定されるものではない。
【００２０】
（実施の形態１）
図１は、本発明の実施の形態１における冷蔵庫の正面図である。図１において、冷蔵庫２１は、観音開き式の扉を備える冷蔵庫であり、断熱箱体１１内に複数に区画された室を備えている。
【００２１】
具体的には、上部より冷蔵室２２、製氷室２３、製氷室２３に併設され急速冷凍可能な急速冷凍室２４、冷凍室２５、および野菜室２６を備えている。
【００２２】
各室の開口部には、例えばウレタンのような発泡断熱材を発泡充填した断熱扉が設けられている。具体的には、冷蔵室２２には断熱箱体の開口部を開閉可能に塞ぐ第１の扉３１ａおよび第２の扉３１ｂが設けられている。
【００２３】
また、製氷室２３、急速冷凍室２４、冷凍室２５、および野菜室２６は引き出し式の室であり、それぞれ引き出し式の扉３２、扉３３、扉３４、および扉３５が設けられている。
【００２４】
第２の扉３１ｂには、第２の扉３１ｂの反ヒンジ側、すなわち、開放端側の外面の端辺に沿って扉化粧板３６が取り付けられている。扉化粧板３６には裏側から操作表示手段３７が取り付けられており、その取り付け位置は、一般的な使用者や作業者の目の高さ程度の高さ位置である。
【００２５】
図２は、冷蔵庫２１の側面断面図である。図２に示すように、断熱箱体１１の天面部は冷蔵庫２１の背面方向に向かって階段状に凹みを設けた形状であり、この階段状の凹部に機械室を形成して圧縮機１２、水分除去を行うドライヤ（図示せず）等の冷凍サイクルの構成部品が収容されている。すなわち、圧縮機１２を配設する機械室は、冷蔵室２２内の最上部の後方領域に食い込んで形成されることになる。手が届きにくくデッドスペースとなっていた冷蔵室２２の最上部の後方領域に機械室を設けて圧縮機１２を配置することにより、冷凍室２５や野菜室２６の容量を拡大し、収納性や使い勝手を大きく改善することができる。
【００２６】
冷蔵室２２の内部には、冷蔵室２２の側面に設けられた凸部（図示せず）に支持される複数の棚６１が設けられている。また、天板６２で区画された貯蔵室６３が、冷蔵室２２の底部に設けられている。貯蔵室６３の前面には、前面に第１の扉３１ａ、第２の扉３１ｂとは別に専用の前面扉６４を備えている。前面扉６４と天板６２により、貯蔵室６３は、冷蔵室２２内の温度より低温の状態を、効率よく維持することができる。
【００２７】
冷蔵庫２１の背面には、冷気を生成する冷却室７１、各室への冷気の搬送風路７２、冷蔵室２２と搬送風路７２を断熱区画するための背面パネル７３が設けられている。すなわち、搬送風路７２は、断熱箱体１１の内箱１１ａと背面パネル７３との間に形成されている。冷却室７１は、冷凍室２５と野菜室２６の背面に設けられており、内部に、冷却器７４を備えている。
【００２８】
冷却器７４の上部空間には冷却器７４で冷却した冷気を強制対流させる冷却ファン７５が配置され、冷却器７４の下部空間には冷却時に冷却器７４やその周辺に付着する霜や氷を除霜するためのガラス管製のラジアントヒータ７６が設けられ、さらにその下部には除霜時に生じる除霜水を受けるためのドレンパン７７、その最深部から庫外に貫通したドレンチューブ７８が構成され、その下流側の庫外に蒸発皿７９が構成されている。
【００２９】
搬送風路７２を形成する背面パネル７３は、冷蔵室２２側に配置された樹脂製のカバー（図示せず）と、冷蔵庫２１の背面側に配置され搬送風路７２を形成する断熱部材（図示せず）とから形成されている。そして、背面パネル７３には、冷蔵室２２内に開口し、冷却室７１内で生成された冷気を冷蔵室２２内に吹き出す冷蔵室用吹出口（図示せず）と、貯蔵室６３内に連通し、冷却室７１内で生成された冷気を貯蔵室６３内に供給する貯蔵室用吹出口（図示せず）とがそれぞれ設けられている。
【００３０】
搬送風路７２の下部には、冷蔵室用吹出口へと流れる冷気の量と、貯蔵室用吹出口へと流れる冷気の量を調整するツインダンパ（図示せず）が設けられている。このツインダン
パにより、冷蔵室２２と貯蔵室６３とに流れる冷気の量を調整することで、冷蔵室２２内、貯蔵室６３内の温度を個別に調整することができる。
【００３１】
冷蔵室２２は冷蔵保存のために凍らない温度を下限に通常１℃〜５℃とし、野菜室２６は冷蔵室２２と同等もしくは若干高い温度設定の２℃〜７℃としている。冷凍室２５はマイナス温度帯に設定されており、冷凍保存のために通常−２２℃〜−１５℃で設定されているが、冷凍保存状態の向上のために、例えば−３０℃や−２５℃の低温で設定されることもある。貯蔵室６３は、いわゆるパーシャル室として、冷蔵室２２より低い温度設定の−４．５℃〜−１．５℃としている。製氷室２３は、冷蔵室２２内の貯水タンク（図示せず）から送られた水で室内上部に設けられた自動製氷機（図示せず）で氷を作り、室内下部に配置した貯氷容器（図示せず）に貯蔵する。
【００３２】
貯蔵室６３の構成について、図３を用いてさらに説明する。図３は、本実施の形態１における貯蔵室の側面断面図である。図３に示すように、天板６２の下側には、内部に天面風路８１を備えた天面ダクトユニット８０が設けられている。天面ダクトユニット８０は、主に、貯蔵室６３の庫内側に位置する樹脂製のダクトカバー８２、ダクトカバー８２の内面に接して設けられた下部断熱部材８３、下部断熱部材８３の上方に配置された上部断熱部材８４とから構成されている。
【００３３】
天板６２は、透明や半透明のガラス製、または、樹脂製である。天板６２の周囲には、樹脂製の支持枠８９が設けられている。ダクトカバー８２は、樹脂性であり、支持枠８９に固定されている。上部断熱部材８４、下部断熱部材８３は、発泡ポリスチレンに代表される発泡樹脂などの断熱材を成形したものであり、ダクトカバー８２により、天板６２の下側に固定されている。
【００３４】
天面風路８１は、上部断熱部材８４と下部断熱部材８３とにより、上部断熱部材８４と下部断熱部材８３との間に形成されている。さらに、天面風路８１は、下部断熱部材８３に設けられた下方吹出口８５、上部断熱部材８４と下部断熱部材８３との間に設けられた前方吹出口８６とそれぞれ連通している。また、ダクトカバー８２の下方吹出口８５と前方吹出口８６のそれぞれに対応する箇所には、スリットが設けられている。
【００３５】
また、天面風路８１は、貯蔵室６３の背面側で、背面パネル７３に設けられた貯蔵室用吹出口８７を介して、搬送風路７２と連通している。天面ダクトユニット８０の背面の貯蔵室用吹出口８７に対応する箇所の周囲には、貯蔵室用吹出口８７と天面風路８１との接続部からの冷気漏れを防止するためにシール部材（図示せず）が設けられている。
【００３６】
上部断熱部材８４の後方側（貯蔵室用吹出口８７との接続側）の上面には、上方に突出する凸部８４ａが設けられている。凸部８４ａは、上部断熱部材８４の左右方向の全幅に亘ってリブ状に設けられている。凸部８４ａが天板６２の下側（内面）と当接することで、天板６２と上部断熱部材８４との間に空気層８８が形成される。そして、空気層８８は冷蔵庫２１の背面側ほど、厚みが厚くなるように形成される。
【００３７】
貯蔵室用吹出口８７の上下方向の中心は、天面風路８１の上下方向の中心より下方に設けられている。このため、天面風路８１の貯蔵室用吹出口８７との接続側には、天面風路傾斜部８１ａが設けられている。
【００３８】
貯蔵室６３の底部側は、上方が開口した収納ケース６５により形成されている。収納ケース６５は、冷蔵室２２を区画する断熱仕切体の上面に、リブ５１を介して配置されており、前後に引出すことができる。リブ５１は前後に突起部５１ａを備えた前後方向に長い凸部であり、冷蔵室２２を区画する断熱仕切体の上面の左右に設けられている。
【００３９】
収納ケース６５の前面側の壁面である前面壁９１は、使用者が収納ケース６５への食品の出し入れが容易なように、背面壁９２や側面壁（図示せず）より高さが低くなっている。そして、前面壁９１の上端には、上端から前方に水平に延長され、前面壁９１の上方を覆うように垂下した取っ手部９３が設けられている。取っ手部９３の背面側に位置する前面壁９１には、通気孔９４が設けられている。
【００４０】
背面壁９２は、後方側に行くほど収納ケース６５の開口部が大きくなるように傾斜している。収納ケース６５の底面は、凹凸形状となっている。
【００４１】
天板６２の前面の支持枠８９の下面には、左右に、前面扉６４を開閉可能に支持する支持穴（図示せず）が設けられている。この支持穴が前面扉６４の上端に設けられた支持軸６４ａをそれぞれ支持することで、前面扉６４を前方から上方へと回転させて、開閉できる。なお、前面扉６４は、収納ケース６５方向に突出した突起部（図示せず）を備えており、使用者が収納ケース６５を前方に引き出すと、収納ケース６５の一部が前面扉６４の突起部を押し上げて、前面扉６４を開くように構成されている。
【００４２】
図４は、本実施の形態における収納ケース６５の前面壁９１部分の斜視図である。図４に示すように、通気孔９４は横長のスリット形状の穴が複数、横一列に、収納ケース６５の全幅に亘って、設けられている。また、通気孔９４は、使用者が冷蔵庫２１の正面から見ても見えないように、取っ手部９３の垂下部分の背面に設けられている。
【００４３】
以上のように構成された冷蔵庫について、以下その動作、作用を説明する。
【００４４】
まず、冷凍サイクルの動作について説明する。庫内の設定された温度に応じて制御基板（図示せず）からの信号により冷凍サイクルが動作して冷却運転が行われる。圧縮機１２の動作により吐出された高温高圧の冷媒は、凝縮器（図示せず）である程度凝縮液化し、さらに冷蔵庫２１本体の側面や背面、また冷蔵庫２１本体の前面間口部に配設された冷媒配管（図示せず）などを経由し冷蔵庫２１本体の結露を防止しながら凝縮液化し、キャピラリーチューブ（図示せず）に至る。その後、キャピラリーチューブでは圧縮機１２への吸入管（図示せず）と熱交換しながら減圧されて低温低圧の液冷媒となって冷却器７４に至る。ここで、低温低圧の液冷媒は、冷却ファン７５の動作により空気と熱交換され、冷却器７４内の冷媒は蒸発気化する。
【００４５】
そして、冷却室７１内で各室を冷却するための冷気が生成され、生成された冷気は各室に送られる。例えば、ツインダンパを介して、搬送風路７２を通って冷蔵室２２や、貯蔵室６３に送られる。これにより、各室ごとに所定の温度に冷却制御される。
【００４６】
搬送風路７２を通り貯蔵室用吹出口８７から天面ダクトユニット８０に流入した冷気は、天面風路傾斜部８１ａにより、貯蔵室用吹出口８７から、天面側に上昇するように流れる。そして、天面風路８１内を前方に流れ、複数の下方吹出口８５、前方吹出口８６から貯蔵室６３に流入する。そして、この冷気は、貯蔵室６３内を冷却し、収納ケース６５の底面から傾斜して設けられた背面壁９２を上昇した後、下方に流れる。その後、貯蔵室６３を冷却した冷気は、冷蔵庫２１の背面側に設けられた戻り風路（図示せず）を通り、冷却室７１へと再び戻る。
【００４７】
また、前方吹出口８６から吹き出された冷気の一部は、通気孔９４に向かって、前面扉６４の内壁に沿って流れる。そして、通気孔９４を通って貯蔵室６３の外へ流れた後、取っ手部９３により流れの方向を下向きにされ、収納ケース６５とリブ５１との間の隙間を通って、冷蔵庫２１の背面側の戻り風路へと流れる。
【００４８】
以上のように構成された冷蔵庫において、貯蔵室６３は低温の貯蔵室であるため、周囲の冷蔵室２２内より温度が低く、貯蔵室６３の周囲に結露しやすい。特に、貯蔵室６３が、マイナス温度帯の低温室であるパーシャル室である場合には、貯蔵室６３の冷蔵室２２との温度差が大きくなるため、貯蔵室６３の周囲に結露しやすくなる。
【００４９】
より詳細には、天板６２の下面には、貯蔵室６３を冷却する前の冷気が流れる天面ダクトユニット８０が設けられているため、天板６２の上面と下面とで温度差が生じる。このため、冷蔵室２２内の比較的暖かい空気と触れる天板６２の上面に結露が生じやすい。特に、天板６２の後方側は、貯蔵室用吹出口８７に近いためより、結露しやすい。
【００５０】
しかし、本実施の形態では、凸部８４ａにより、空気層８８が設けられているため、上部断熱部材８４に加えて空気層８８が、天面風路８１と天板６２との間を断熱するために、天板６２の上面が結露することがない。あるいは、上部断熱部材８４の厚みを薄くすることができる。
【００５１】
さらに、凸部８４ａは、後方側にのみ設けられているので、空気層８８は冷蔵庫２１の背面側ほど、厚みが厚くなる。このため、簡単な構成で容易に、結露しやすい天板６２後方の断熱性を向上させることができ、結露を防止できる。
【００５２】
さらに、凸部８４ａを設けることで、上部断熱部材８４を下側に押し付ける力が生じるため、上部断熱部材８４および下部断熱部材８３を、支持枠８９に固定されたダクトカバー８２に押し付けて、密着性を向上させることができる。このため、搬送風路７２からの冷気が漏れやすい天面ダクトユニット８０の後方側の冷気漏れを防止することができ、この付近の結露を防止することもできる。
【００５３】
また、前面扉６４の近傍は、冷蔵室２２内の比較的暖かい空気が前面扉６４の周囲の隙間より侵入し、貯蔵室６３内の比較的冷たい空気と触れるために、結露しやすい。しかし、本実施の形態では、天面ダクトユニット８０の前方吹出口８６の下方に位置する前面壁９１に通気孔９４を設けているため、前方吹出口８６から通気孔９４へと流れる冷気の流れを作り出すことができる。これにより、前面扉６４の内面付近に滞留する比較的暖かい空気を拡散させ、前面扉６４の内面付近に結露が生じることを防止できる。
【００５４】
また、通気孔９４を取っ手部９３の背面に設けたことで、使用者の手の触れる取っ手部９３の内側にも、冷気の流れを作り出し、結露することを防止できる。これにより、使用者が取っ手部９３の内側に手を掛けた際にも、不快な思いをさせることがない。さらに、取っ手部９３は略垂直に取り付けられているため、通気孔９４から吹き出した冷気の流れを下方に向けることができ、スムーズに戻り通路に冷気を戻すことができるために、貯蔵室６３の冷却効率を低下させることもない。また、正面から見ても、通気孔９４は見えないので、美観もよい。
【００５５】
また、収納ケース６５の底面は、凹凸形状となっているので、収納ケース６５内の収納物が転がることを防止するとともに、底面に結露が生じる難くなる。
【００５６】
加えて、貯蔵室６３の天面には、天面ダクトユニット８０が設けられていることにより、搬送風路７２から冷気が、貯蔵室６３の天面前方や天面中央から流入するので、貯蔵室６３内の温度分布が不均一となることがない。また、貯蔵室６３内を循環した冷気が、収納ケース６５の底面から傾斜した背面壁９２を上昇した後、下方に流れることで、貯蔵室６３内に多量の食品が収納された場合にも、温度分布が不均一となることがないため、貯蔵室６３内の収納性の向上と温度分布の均一化が両立できる。
【００５７】
なお、本実施の形態では、凸部８４ａを上部断熱部材８４の後方側にのみ設けるものとして説明したが、前方側にも設けて空気層８８を天板６２の下面全面に亘って設けても良い。この際には、後方側の凸部の高さを前方側の凸部の高さより高くすることで、容易に、前方側より後方側の空気層の厚さを厚くすることも可能である。
【００５８】
また、貯蔵室６３は、マイナス温度帯のパーシャル室とプラス温度帯のチルド室とが切換可能な切換室であってもよい。この場合には、保存する食品に適した温度帯を選択することができ、使用者の使い勝手が向上する。
【００５９】
（実施の形態２）
図５は、本発明の実施の形態２における冷蔵庫の要部側面図である。本実施の形態においては、第１の実施の形態と異なる点のみを説明し、同様の構成、動作、作用については、説明を省略する。
【００６０】
図５に示すように、本発明の実施の形態では、貯蔵室６３は、収納ケース６５を備えておらず、冷蔵室２２を区画する断熱仕切体の上面に前面壁１０１が設けられている。そして、通気孔９４は、前面壁１０１の高さ方向中央より上方に設けられている。
【００６１】
本実施の形態では、前方吹出口８６の下方に位置する前面壁１０１に通気孔９４を設けているため、前方吹出口８６から通気孔９４へと流れる冷気の流れを作り出すことができる。これにより、前面扉６４の内面付近に滞留する比較的暖かい空気を拡散させて、前面扉６４の内面付近に結露が生じることを防止できる。なお、前面壁９１の上端には、上端から前方に水平に延長され、前面壁９１の上方を覆うように垂下した折り返し部が設けられ、その折り返し部の背面側に位置する前面壁１０１に、通気孔９４が設けられていてもよい。この場合には、正面から見ても、通気孔９４は見えないので、美観が向上する。
【００６２】
（実施の形態３）
図６は、本発明の実施の形態３における冷蔵庫の要部側面図である。本実施の形態においては、第１の実施の形態と異なる点のみを説明し、同様の構成、動作、作用については、説明を省略する。
【００６３】
図６に示すように、本発明の実施の形態では、前面扉１０４は、冷蔵室２２を区画する断熱仕切体の上面まで達する長さを備えており、前面壁９１が設けられていない。そして、通気孔９４は、前面扉１０４の高さ方向中央より下方に設けられている。
【００６４】
本実施の形態では、前方吹出口８６の下方に位置する前面扉１０４に通気孔９４を設けているため、前方吹出口８６から通気孔９４へと流れる冷気の流れを作り出すことができる。これにより、前面扉１０４の内面付近に滞留する比較的暖かい空気を拡散させて、前面扉１０４の内面付近に結露が生じることを防止できる。なお、前面扉１０４の下端から前方に水平に延長され上方に折り曲げられた取っ手部、あるいは、前面扉１０４の下方から前方に水平に延長され下方に折り曲げられた取っ手部が設けられており、その取っ手部の背面側に位置する前面扉１０４に通気孔９４が設けられていることが、使用者が取っ手部の内側に手を掛けた際にも、不快な思いをさせないこと、また、正面から見ても、通気孔９４は見えないので、美観が向上することから望ましい。
【産業上の利用可能性】
【００６５】
以上のように、本発明にかかる冷蔵庫は、冷蔵室の内部に低温の貯蔵室を設けても、低温の貯蔵室の近傍に結露することがなく、家庭用および業務用など様々な種類および大きさの冷蔵庫等に適用できる。
【符号の説明】
【００６６】
１１  断熱箱体
１１ａ  内箱
１２  圧縮機
２１  冷蔵庫
２２  冷蔵室
２３  製氷室
２４  急速冷凍室
２５  冷凍室
２６  野菜室
３１ａ  第１の扉
３１ｂ  第２の扉
３２、３３、３４、３５  扉
３６  扉化粧板
３７  操作表示手段
５１  リブ
５１ａ  突起部
６１  棚
６２  天板
６３  貯蔵室
６４、１０４  前面扉
６４ａ  支持軸
６５  収納ケース
７１  冷却室
７２  搬送風路
７３  背面パネル
７４  冷却器
７５  冷却ファン
７６  ラジアントヒータ
７７  ドレンパン
７８  ドレンチューブ
７９  蒸発皿
８０  天面ダクトユニット
８１  天面風路
８１ａ  天面風路傾斜部
８２  ダクトカバー
８３  下部断熱部材
８４  上部断熱部材
８４ａ  凸部
８５  下方吹出口
８６  前方吹出口
８７  貯蔵室用吹出口
８８  空気層
８９  支持枠
９１、１０１  前面壁
９２  背面壁
９３  取っ手部
９４  通気孔
【図３】
0005903570.tif 000002
【図４】
0005903570.tif 000003
【図５】
0005903570.tif 000004
【図６】
0005903570.tif 000005
【図１】
0005903570.tif 000006
【図２】
0005903570.tif 000007